(57)【要約】【課題】携帯電話のような携帯端末が無くても、ファクシミリを用いて簡単に所望の広告を配信できる広告配信システムを提供する。【解決手段】広告配信システムは、広告情報が記入された広告送信シートを読み取るファクシミリ装置１１と、ファクシミリ装置１１から送信されてきた広告送信シートを解析する解析手段と、携帯電話を有する顧客データおよびその属性を携帯電話の送信先データとともに格納するデータベースと、解析手段の解析結果に基づいてデータベースの属性を参照して、送信先データを抽出する抽出手段と、抽出手段が抽出した送信先データを有する携帯電話３１に、解析手段の解析した広告情報を送信する送信手段とを含む。【選択図】図１
2008278177.tif 000002
【特許請求の範囲】
【請求項１】
広告情報が記入された広告送信シートを読み取るファクシミリ装置と、
前記ファクシミリ装置から送信されてきた前記広告送信シートを解析する解析手段と、
携帯端末を有する顧客データおよびその属性を前記携帯端末の送信先データとともに格納するデータベースと、
前記解析手段の解析結果に基づいて前記データベースの前記属性を参照して、送信先データを抽出する抽出手段と、
前記抽出手段が抽出した送信先データを有する前記携帯端末に、前記解析手段の解析した広告情報を送信する送信手段とを含む、広告配信システム。
【請求項２】
前記携帯端末は表示画面を有し、前記広告送信シート上の位置と前記携帯端末の前記表示画面上の位置とは対応関係を有する、請求項１に記載の広告配信システム。
【請求項３】
前記データベースは、前記広告送信シート上の位置と前記表示画面上の位置との対応関係を格納している、請求項２に記載の広告配信システム。  
【請求項４】
さらに携帯端末からの情報を受信する受信装置と、前記ファクシミリ装置へファクシミリを送信する送信装置とを含み、
前記解析手段は、前記受信装置で受信した携帯端末からの情報を前記送信装置で送信可能なデータに変換する変換手段を含む、請求項１から３のいずれかに記載の広告配信システム。  
【請求項５】
ファクシミリ装置で送信され、広告内容を記載した広告送信シートであって、
シート上の位置が携帯端末の表示画面の表示位置に対応し、
前記シートの内容は、業種ごとに異なる広告送信シート。  
【請求項６】
ファクシミリ装置から送信されてきた広告送信シートから、画像上の位置データに基づいて、対応する広告データを特定する特定手段と、
データベースから、所定の属性を有する顧客のメールアドレスを抽出する抽出手段と、
前記抽出手段によって抽出されたメールアドレスに、前記広告データをインターネット上のメールによって送信する送信手段とを含む、ＦＡＸ−メール変換装置。
【請求項７】
コンピュータを、ファクシミリ装置から送信されてきた広告送信シートから、画像上の位置データに基づいて、対応する広告データを特定する特定手段、データベースから、所定の属性を有する顧客のメールアドレスを抽出する抽出手段、抽出手段によって抽出されたメールアドレスに、広告データをインターネット上のメールによって送信する送信手段として機能させるプログラム。
【発明の詳細な説明】
【技術分野】
【０００１】
この発明は、ファクシミリ装置から送信された広告データを携帯端末で表示する広告配信システム、それ用の広告送信シート、ＦＡＸ−メール変換装置、および、プログラムに関し、特に、ファクシミリ装置のみを用いて携帯端末へ所望の広告データを表示可能な広告配信システム、広告送信シート、ＦＡＸ−メール変換装置、および、プログラムに関する。
【背景技術】
【０００２】
従来のファクシミリ装置と携帯端末との間で相互にデータを送受信する装置が、たとえば、特開２００２−１００１５号公報（特許文献１）や特開２００５−３３９０６４号公報（特許文献２）に記載されている。
【０００３】
特許文献１によれば、ＦＡＸ−Ｅメール送受信装置は、パスワードと制御情報（返信先宛先、サービス選択情報）をリンクさせてデータベース化すると共に、このパスワードをファクシミリ装置に発行し、ファクシミリ装置から送信情報と共に入力されたパスワードとリンクした制御情報を解析し、この解析結果に基づいて送信情報をＥメール端末に送信している。
【０００４】
特許文献２は公衆回線網に接続された画像データ変換装置と、インターネット通信網に接続されたメール配信サーバとを使用して広告情報を供給する方法を開示する。画像データ変換装置は広告依頼主から公衆回線網を介して送信された広告情報を画像データに変換し、画像データは文字データに変換されてメール配信サーバに送信され、メール配信サーバは広告依頼主の顧客の携帯電話又はパソコンのメールアドレスを広告依頼主と関連付けて記憶しており、文字データを顧客の携帯電話又はパソコンにインターネット通信網を介して送信している。
【特許文献１】特開２００２−１００１５号公報（要約、段落番号００１４）
【特許文献２】特開２００５−３３９０６４号公報（要約）
【発明の開示】
【発明が解決しようとする課題】
【０００５】
従来のファクシミリ装置の送受信データと携帯端末の送受信データとを相互に変換するデータ変換装置は上記のように構成されていた。特許文献１においては、ファクシミリ装置から送信情報と共に入力されたパスワードとリンクした制御情報を解析し、この解析結果に基づいてパスワードに対応する送信宛先に情報を送信することを開示しているだけで、ファクシミリ装置で送信された情報がどのように携帯端末のデータに変換されているのかという点については、具体的な記載はない。
【０００６】
一方、特許文献２においては、ファクシミリ装置によって送信されてきた広告情報は画像データに変換され、作業者が画像データをみながら文字データに変換し、メール配信されるが、このようなシステムでは、広告データの配信に時間と人手がかかるという問題がある。
【０００７】
この発明は、上記のような問題点に鑑みてなされたもので、パソコンのような機器が無くても、ファクシミリを用いて簡単に所望の広告を配信できる広告配信システム、広告送信シート、ＦＡＸ−メール変換装置、および、プログラムを提供することを目的とする。
【課題を解決するための手段】
【０００８】
この発明に係る広告配信システムは、広告情報が記入された広告送信シートを読み取るファクシミリ装置と、ファクシミリ装置から送信されてきた広告送信シートを解析する解析手段と、携帯端末を有する顧客データおよびその属性を携帯端末の送信先データとともに格納するデータベースと、解析手段の解析結果に基づいてデータベースの属性を参照して、送信先データを抽出する抽出手段と、抽出手段が抽出した送信先データを有する携帯端末に、解析手段の解析した広告情報を送信する送信手段とを含む。
【０００９】
好ましくは、携帯端末は表示画面を有し、広告送信シート上の位置と携帯端末の表示画面上の位置とは対応関係を有する。
【００１０】
さらに好ましくは、データベースは、広告送信シート上の位置と表示画面上の位置との対応関係を格納している。
【００１１】
この発明の一つの実施の形態においては、携帯端末からの情報を受信する受信装置と、ファクシミリ装置へファクシミリを送信する送信装置とを含み、解析手段は、受信装置で受信した携帯端末からの情報を送信装置で送信可能なデータに変換する変換手段を含む。
【００１２】
この発明の他の局面においては、広告送信シートは、ファクシミリ装置で送信され、広告内容を記載したシートである。広告送信シートは、シート上の位置が携帯端末の表示画面の表示位置に対応し、シートの内容は、業種ごとに異なる。
【００１３】
この発明のさらに他の局面においては、ＦＡＸ−メール変換装置は、ファクシミリ装置から送信されてきた広告送信シートから、画像上の位置データに基づいて、対応する広告データを特定する特定手段と、データベースから、所定の属性を有する顧客のメールアドレスを抽出する抽出手段と、抽出手段によって抽出されたメールアドレスに、広告データをインターネットのメールによって送信する送信手段とを含む。
【００１４】
この発明のさらに他の局面においては、プログラムは、コンピュータを、ファクシミリ装置から送信されてきた広告送信シートから、画像上の位置データに基づいて、対応する広告データを特定する特定手段、データベースから、所定の属性を有する顧客のメールアドレスを抽出する抽出手段、抽出手段によって抽出されたメールアドレスに、広告データをインターネット上のメールによって送信する送信手段として機能させる。
【発明の効果】
【００１５】
この発明においては、ファクシミリ装置から送信されてきた広告送信シートを解析し、解析結果に基づいて携帯端末に、広告情報を送信するため、ファクシミリ装置のみを用いて広告データを携帯端末に送信できる。
【００１６】
その結果、パソコンのような機器が無くても、ファクシミリを用いて簡単に所望の広告を携帯端末に配信できる広告配信システムを提供できる。
【発明を実施するための最良の形態】
【００１７】
以下、図面を参照して、この発明の一実施形態について説明する。図１は、この発明の一実施の形態に係る広告配信システムの全体構成を示すブロック図である。図１を参照して、この実施の形態に係る広告配信システム１０は、広告を配信する店舗が有するファクシミリ装置１１ａ〜１１ｃと、ファクシミリ装置１１ａ〜１１ｃが接続された公衆交換電話網１２と、公衆交換電話網１２に接続されたファクシミリ−メール変換装置（以下、「ＦＡＸ−メール変換装置」という）２０と、ＦＡＸ−メール変換装置２０が接続されたインターネットのようなネットワーク３０と、ネットワーク３０に接続された複数の携帯電話３１ａ〜３１ｃとを含む。
【００１８】
店舗主等は、たとえば、ファクシミリ装置１１ａを用いて広告内容をＦＡＸ−メール変換装置２０に送信する。ＦＡＸ−メール変換装置２０は、ファクシミリ１１ａで送信された内容を解析して携帯電話で閲覧可能なメールデータに変換し、それを携帯電話３１ａ〜３１ｃに送信する。
【００１９】
図２はＦＡＸ−メール変換装置２０の構成を示す図である。図２を参照して、ＦＡＸ−メール変換装置２０は、ＦＡＸ−メール変換装置２０全体を制御するＣＰＵ２１と、ファクシミリ送受信部２２と、ＤＲＡＭ（Dynamic Random Access Memory）のようなメモリ２３と、データベース２４ａを格納したハードディスク２４と、携帯電話３１ａ〜３１ｃにインターネットのようなネットワーク３０上のメールを送信する携帯送受信部２５とを含む。
【００２０】
次に具体的に説明する。ここでは、フラワーショップが自分の店舗の広告を携帯電３１ａ〜３１ｃに配信する場合について説明する。この実施の形態においては、それぞれの業種ごとに異なるファクシミリ広告送信シートが準備されている。図３（Ａ）はフラワーショップ向けのファクシミリ広告送信シート４０の一例を示す図であり、図３（Ｂ）はそれに基づいて表示された携帯電話３１の表示画面５１を示す図である。
【００２１】
図３（Ａ）に示すように、フラワーショップ用のファクシミリ広告送信シート４０は、タイトル部分４１と、ボディ部分４３とを含む。タイトル部分４１は、携帯電話の表示画面に表示されるタイトルを選択する部分であり、ここでは、「新製品ニュース」、「インフォメーション」、「キャンペーン」、および、「サービス内容」が一例４２として表示されている。店舗主は、これらの項目の中から所望のものを選択し、項目の前に設けられたマークボックスをマークする。ここでは、表示される文字の書体等もそれぞれ変化されている。
【００２２】
ボディ部分４３は、具体的な広告の中身を示すものである。ここでは、一例４４として、「カーネーションの写真」、「誕生日」、「価格１０％オフ」、「ブーケの写真」等が表示されている。店舗主は、これらの項目の中からも所望のものをマークすることによって選択する。
【００２３】
なお、図３（Ａ）のタイトル部分４１の右側には、理解の容易のために、実際には存在しない、携帯電話の表示画面におけるタイトル部分４１とボディ部分４３のそれぞれの表示位置の関係が点線で囲まれて示されている。この点線で囲まれた部分が図３（Ｂ）に示す携帯電話３１の表示画面５１に表示される。すなわち、この実施の形態においては、タイトル部分で選択した項目が携帯電話の表示画面５１の上半分５１ａに表示され、ボディ部分で選択した項目がその下半分５１ｂに表示される。
【００２４】
店舗主は、このように、所望の項目をマークして選択した広告送信シート４０をファクシミリ装置１１ａを介してＦＡＸ−メール変換装置２０へ送信する。
【００２５】
次に、ＦＡＸ−メール変換装置２０における処理について説明する。図４は、ＦＡＸ−メール変換装置のＣＰＵ２１が行う動作を示すフローチャートである。図５はハードディスク２４に格納されているデータベース２４ａの内容を示す図である。図５（Ａ）は、広告送信シート４０に関するデータを格納した部分を示す模式図であり、広告送信シートのタイトルやボディのマーク位置と、その位置に対応する広告データの内容との関係を格納した部分を示す。図５（Ｂ）は、ＦＡＸ−メール変換装置２０が有する、顧客のデータベースであり、顧客ごとに、その携帯電話のメールアドレス、住所、および属性が格納されている。属性としては、性別、年齢、誕生日、興味ある内容等を含む。ここで、興味ある内容としては、「花」、「本」、「旅行」、「車」等が格納されている。
【００２６】
図４および図５を参照して、ＦＡＸ−メール変換装置２０は、まず上記のようにしてマークされた広告送信シート４０を受信する（ステップＳ１１、以下、ステップを省略する）。次いで、受信したデータの内容を解析する（Ｓ１２）。具体的には、受信した広告送信シート４０を読み取ってメモリ２３に展開する。そして、データベース２４ａを参照して、マークされている位置からそれに対応する広告内容を検出して、携帯電話に送信するデータに変換する（Ｓ１３）。
【００２７】
次いで、顧客のデータベースの属性を参照して、興味のある項目として「花」を上げている人を抽出し（Ｓ１４）、その人の携帯電話に変換されたフラワーショップの広告を配信する（Ｓ１５）。
【００２８】
したがって、ＣＰＵ２１は解析手段、抽出手段、送信手段、および、特定手段として作動する。
【００２９】
以上のように、この実施の形態によれば、店舗主が広告送信シート４０の所望の部分のマークを選択して、その内容をファクシミリ装置１１を用いて送信するだけで、携帯電話３１にその内容が配信される。その結果、ファクシミリ装置１１しかない店舗においても、携帯電話３１でインターネットのようなネットワーク３０上で閲覧可能な情報を提供できる。
【００３０】
次に、顧客側から店舗側へのデータ送信について説明する。図１に示したように、店舗のファクシミリ装置１１ａは携帯電話３１ａ〜３１ｃとＦＡＸ−メール変換装置２０を介して接続されているため、携帯電話３１ａ〜３１ｃからもファクシミリ装置１１ａへの送信が可能になる。この場合のＦＡＸ−メール変換装置２０のＣＰＵ２１が行う動作について説明する。
【００３１】
図６は、この場合の動作内容を示すフローチャートである。ここでは、携帯電話３１からフラワーショップに対して広告で配信された商品の中から所望の商品を注文する場合について説明する。
【００３２】
図６を参照して、まず、携帯電話３１から受注があるか否かを判断する（Ｓ２１）。受注があれば、データベース２４ａを参照して発注者の顧客情報を抽出する（Ｓ２１でＹＥＳ，Ｓ２２）。そして受注情報をファクシミリデータに変換する（Ｓ２３）。受注内容を記載した受注送信シートを作成し（Ｓ２４）、それをフラワーショップのファクシミリ装置１１ａに送信する（Ｓ２５）。フラワーショップでは、これをファクシミリ装置１１ａで受信し、注文先へ商品を発送する。したがって、ＣＰＵ２１は、変換手段、受信装置、および、送信装置として機能する。
【００３３】
ここで用いられる受注内容の確認事項等が記載された受発注用のフォーマットは、別途図示のない設定用送信シートを用いて予めファクシミリ装置１１からＦＡＸ−メール変換装置２０に送信されているものとする。なお、これは予めＦＡＸ−メール変換装置２０が有しており、これが広告と同時に携帯電話に送信されてもよい。
【００３４】
以上のように、この実施の形態においては、商品の受注や配送先データもファクシミリ装置１１ａを用いて得られるため、パソコン等を用いることなく、携帯電話３１からの受注が可能になる。
【００３５】
なお、店舗の情報の発信は時間を指定して送信するようにしてもよい。たとえば、広告送信シート４０に時間指定欄として、「昼の時間帯」、「午後３時帯」、「夕方時間帯」等を設け、店舗主は、そのマークボックスにマークしてそれをファクシミリ装置１１で送信するだけで、指定された時間帯に情報が配信される。
【００３６】
また、配信エリアを指定できるようにしてもよい。すなわち、広告送信シート４０に希望配信エリア欄として、「３０分圏内」、「１時間圏内」等を設ける。データベース２４ａには店舗の位置情報等が格納されているので、携帯電話事業者が提供するＧＰＳや簡易ＧＰＳ機能によって携帯電話の現在位置を取得し、そこからの距離を演算して、配信エリア内の顧客のみに情報が配信される。
【００３７】
上記実施の形態においては、スポット的に店舗の情報を発信する場合について説明したが、これに限らず、ファクシミリ装置１１ａを用いて、情報をＦＡＸ−メール変換装置２０へ送信し、ＦＡＸ−メール変換装置２０上にネットワーク上の店舗のモバイルサイトを構築して、常時店舗の情報を発信してもよい。
【００３８】
図７は、ＦＡＸ−メール変換装置２０上に構築された店舗のモバイルサイト内の情報の例（Ａ）と携帯電話の表示画面（Ｂ）との関係を示す模式図である。携帯電話３１ａ〜３１ｃからＦＡＸ−メール変換装置２０に設けられたモバイルサイトへアクセスすると、携帯電話３１ａの表示画面５１には、店舗の情報が表示される。
【００３９】
店舗の情報としては、店舗自体の外観を示す写真を含む店舗情報５２や、商品情報５３や、セール情報５５や、お得な情報５６や、その他情報５４等を含む。その他情報５４には、アクセスマップ等が含まれている。これらの情報はすべて店舗のファクシミリ装置１１ａからＦＡＸ−メール変換装置２０に送信され、ＦＡＸ−メール変換装置２０のハードディスク２４に格納される。
【００４０】
以上のように、この実施の形態においては、広告を配信する店舗はファクシミリ装置１１ａ等のみを有し、インターネットのようなネットワーク３０上に設けられるホームページ等を有さない。したがって店舗は、ファクシミリ装置１１ａのみを用いて自分の店舗の広告を携帯電話に配信できる。
【００４１】
なお、上記実施の形態においては、携帯電話を例に上げて説明したが、これに限らず、ＰＤＡ（Personal Digital Assistant）等の携帯端末であってもよい。
【００４２】
また、上記実施の形態においては、ＦＡＸ−メール変換装置をそれようの専用の装置とした場合について説明したが、これに限らず、ＦＡＸ−メール変換装置の動作をプログラムとし、それを汎用パソコンにインストールして、汎用パソコンをＦＡＸ−メール変換装置として作動させてもよい。この場合、プログラムは、コンピュータ読取可能記録媒体として提供してもよいし、ネットワークからダウンロードできるようにしてもよい。
【００４３】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００４４】
【図１】この発明の一実施の形態に係る広告配信システムの全体構成を示すブロック図である。
【図２】ＦＡＸ−メール変換装置の構成を示すブロック図である。
【図３】広告送信シートと携帯電話の表示画面との関係を示す図である。
【図４】ＦＡＸ−メール変換装置の広告配信時の動作を示すフローチャートである。
【図５】データベースの内容を示す図である。
【図６】ＦＡＸ−メール変換装置の受注時の動作を示すフローチャートである。
【図７】モバイルサイトの情報を示す図である。
【符号の説明】
【００４５】
１０  広告配信システム、１１  ファクシミリ装置、１２  公衆交換電話網、２０  ＦＡＸ−メール変換装置、２１  ＣＰＵ、２２  ＦＡＸ送受信部、２３  メモリ、２４  ハードディスク、２５  携帯電話送受信部、３０  ネットワーク、３１  携帯電話。
【図１】
2008278177.tif 000003
【図２】
2008278177.tif 000004
【図３】
2008278177.tif 000005
【図４】
2008278177.tif 000006
【図５】
2008278177.tif 000007
【図６】
2008278177.tif 000008
【図７】
2008278177.tif 000009